(57)【要約】【課題】安全であるとともに抜針した外科用ステープルの数が数えやすい外科用ステープルリムーバを提供。【解決手段】皮膚を縫合した外科用ステープルのクラウン部２２の両側下部に入り込んで、上記外科用ステープルを支持する針支持部１７と、上記針支持部１７で支持された上記外科用ステープルのクラウン部の中央上部を押圧して上記外科用ステープルを変形させて皮膚から抜き出し、上記針支持部１７から連続形成された１対の平行な針受け部１８に沿って上記外科用ステープルをスライドさせる押圧用スライダ３と、スライドにより引き込まれた外科用ステープルを収納する収納部６とを備えた外科用ステープルリムーバにおいて、上記針受け部１８には連続する係合凹部２３を形成し、外科用ステープル引き込み時に外科用ステープルを１本ずつ上記係合凹部２３に送り込む。【選択図】図１
2008036265.tif 000002
【特許請求の範囲】
【請求項１】
皮膚を縫合した外科用ステープルのクラウン部の両側下部に入り込んで上記外科用ステープルを支持する針支持部と、上記針支持部で支持された上記外科用ステープルのクラウン部の中央上部を押圧して上記外科用ステープルを変形させて皮膚から抜き出し、上記針支持部から連続形成された１対の平行な針受け部に沿って上記外科用ステープルをスライドさせる押圧用スライダと、該押圧用スライダにより引き込まれた外科用ステープルを収納する収納部とを備えた外科用ステープルリムーバにおいて、
上記収納部の内部を目視可能に形成するとともに、
上記針受け部には、上記押圧用スライダによって引き込まれた外科用ステープルの１本のそれぞれと係合可能な複数の係合凹部を連続的に形成したことを特徴とする外科用ステープルリムーバ。
【請求項２】
上記針受け部に連続的に形成された係合凹部のうち最も上記押圧用スライダ側にある係合凹部は、少なくとも上記押圧用スライダが移動端までスライドしたときに引き込まれた上記外科用ステープルが係合可能な位置に形成されていることを特徴とする、請求項１に記載の外科用ステープルリムーバ。
【請求項３】
上記係合凹部は鋸歯状に形成されたことを特徴とする、請求項１又は２に記載の外科用ステープルリムーバ。
【発明の詳細な説明】
【技術分野】
【０００１】
本発明は、傷口を縫合するために使用される外科用ステープルを傷口から取り外すための外科用ステープルリムーバに関する。
【背景技術】
【０００２】
一般に、外科用ステープルリムーバによって外科用ステープルを抜針するとき、抜針されたステープルは衛生管理上適宜の位置に置かれたトレイ等に入れておく必要がある。ところが、抜針された外科用ステープルを患者の傷口からトレイに移すときに床に落下させてしまったりするなどして、散逸させてしまうおそれがある。また、抜針した外科用ステープルをトレイ内へ移動したのちであっても、トレイ内で外科用ステープルがむき出しになっているので、抜針した外科用ステープルが看護士や処理業者等の手に触れたりする可能性がある。
【０００３】
そのため、安全性を考慮して、外科用ステープルを抜針したら直ちに安全な場所に収納できるように、抜針した外科用ステープルをスライド移動させてそのまま安全な収納部に移動させる構成の外科用ステープルリムーバが開発されている。
【特許文献１】特願２００４−３５１３６５公報
【発明の開示】
【発明が解決しようとする課題】
【０００４】
ところで、抜針された外科用ステープルは人の手に触れないようにするだけでなく、数えなければならない。手術時には何本の外科用ステープルを使用して縫合したかがカルテに記入されており、使用本数と同数だけ抜針することを確認することにより、初めて手術が完了したということができるからである。
【０００５】
しかしながら、上述のように単に収納部に外科用ステープルを収納しただけでは、何本の外科用ステープルを抜針したかを知ることはできない。また、たとえ収納部を透明にしても、外科用ステープルが互いに重なり合っているときは数えにくいという問題があった。
【０００６】
本発明は上述の問題点を解消し、安全であるとともに抜針した外科用ステープルの数が数えやすい外科用ステープルリムーバを提供することをその課題とする。
【課題を解決するための手段】
【０００７】
請求項１に係る発明は、皮膚を縫合した外科用ステープルのクラウン部の両側下部に入り込んで上記外科用ステープルを支持する針支持部と、上記針支持部で支持された上記外科用ステープルのクラウン部の中央上部を押圧して上記外科用ステープルを変形させて皮膚から抜き出し、上記針支持部から連続形成された１対の平行な針受け部に沿って上記外科用ステープルをスライドさせる押圧用スライダと、該押圧用スライダにより引き込まれた外科用ステープルを収納する収納部とを備えた外科用ステープルリムーバにおいて、上記収納部の内部を目視可能に形成するとともに、上記針受け部には、上記押圧用スライダによって引き込まれた外科用ステープルの１本のそれぞれと係合可能な複数の係合凹部を連続的に形成したことを特徴とする。
【０００８】
請求項２に係る発明は、請求項１において、上記針受け部に連続的に形成された係合凹部のうち最も上記押圧用スライダ側にある係合凹部は、少なくとも上記押圧用スライダが移動端までスライドしたときに引き込まれた上記外科用ステープルが係合可能な位置に形成されていることを特徴とする。
【０００９】
請求項３に係る発明によれば、請求項１又は２において、上記係合凹部は鋸歯状に形成されていることを特徴とする。
【発明の効果】
【００１０】
請求項１に係る発明によれば、抜針された外科用ステープルは押圧用スライダにより収納部に引き込まれるが、引き込まれた外科用ステープルは連続する複数の係合凹部のそれぞれと１本ずつ係合する。係合凹部を備えた１対の針受け部は平行に設けられているので、外科用ステープルは係合凹部に安定し、整然と並んだ状態で保持される。したがって、何本の外科用ステープルを抜いたかは、収納部の外から目視によって数えることができる。したがって、外科医は縫合に使用した外科用ステープルの本数と抜針した外科用ステープルの本数が同じか違うかを容易かつ確実に確認することができる。
【００１１】
請求項２に係る発明によれば、さらに上記針受け部に連続的に形成された係合凹部のうち最も上記押圧用スライダ側にある係合凹部は、少なくとも上記押圧用スライダが移動端までスライドしたときに引き込まれた上記外科用ステープルが係合可能な位置に形成されているから、一度引き込まれて係合凹部に送られた外科用ステープルは必ず係合凹部に係合するので、押圧用スライダが元の位置に戻っても、係合凹部に係合した外科用ステープルは安定しているから、押圧用スライダとともに動くことはない。
【００１２】
請求項３に係る発明によれば、さらに係合凹部が鋸歯状に形成されているから、係合凹部に係合した外科用ステープルは安定し、押圧用スライダとともに動くことはない。また、押圧用スライダによってさらに押し込まれたときは、円滑に動いて次の係合凹部に係合することができる。
【発明を実施するための最良の形態】
【００１３】
図１は外科用ステープルリムーバの斜視図であり、図２はその縦断面図を示す。上図１において符号１は外科用ステープルリムーバを示す。この外科用ステープルリムーバ１は、主に本体部２と押圧用スライダ３と針受け支持部材４とから構成されている。
【００１４】
本体部２は細長の箱形で透明な合成樹脂によって形成されている。本体部２の前端には取込開口部５が形成され、また本体部２の内部には収納部６を構成する空間が形成されている。上記取込開口部５は収納部６に連続している。本体部２の上部中央には、その長手方向に沿ってガイド溝７が形成されている。このガイド溝７の下部にはガイド通路８が形成されている。なお、収納部６は外部から内部を目視できる構成であればよく、必ずしも本体部２を透明にする構成に限定されない。収納部６に内部を覗き込めるようなスリット状の透明窓部を形成する構成であってもよい。
【００１５】
押圧用スライダ３はスライダ本体３ａと押圧レバー１０と針押し部１１とから構成されている。スライダ本体３ａは上記ガイド通路８に摺動自在に設けられ、バネ１２によって常時前方に移動するように付勢されている。スライダ本体３ａの上部には凸部１３が形成され、この凸部１３はガイド溝７に係合し、スライダ本体３ａの前後の移動端を規制している。
【００１６】
押圧レバー１０は、上記凸部１３の前端から斜め前方に突出し、その先端上部には指掛け部１４が形成されている。押圧レバー１０はその基部から下方に曲り変形するように弾性材料によって形成されている。
【００１７】
針押し部１１は押圧レバー１０の前端の指掛け部１４の下方に突出形成され、さらにその先端は、前部の係合部１５が後部の押圧部１６より突出して鉤形に形成されている。なお、針押し部１１は強度を要求されるから、金属などの硬質の素材によって構成するのが好ましい。
【００１８】
次に、針受け支持部材４は金属によって構成され、前部がＵ字形に形成された部材で、このＵ字形の針支持部１７の前部から１対の平行な針受け部１８が後方に連続形成されている。なお、Ｕ字形の針支持部１７は図３（ａ）に示されるように、外科用ステープラによって折り曲げられた外科用ステープル２０と皮膚２１との間に差し込まれて外科用ステープル２０のクラウン部２２の両側を下から支持するもので、その幅は上記外科用ステープル２０のクラウン部２２の幅よりも少し狭い程度に形成され、またクラウン部２２と外科用ステープル２０との間に差し込みやすいように肉厚も薄く形成されている。
【００１９】
針支持部１７は本体部２の収納部６の取込開口部５から前方に突出し、また針受け部１８は本体部２の収納部６内に収まるように配置され、適宜手段によって固定されている。また、上記針受け部１８には、上記収納部６内において連続する係合凹部２３が形成されている。係合凹部２３は鋸歯状に形成された歯と歯との間に形成され、前後に隣り合う係合凹部２３の間隔は約ステープル１〜１．５本分の幅と略同じ程度になるように設定されている。そして、最も手前（最前部）にある係合凹部２３ａは、上記押圧用スライダ３が移動端までスライドしたときの係合部１５の後面の略直上部にあるように設定されている。さらに、通常の外科手術で使用される外科用ステープルの本数は３０〜４０本程度であり、上記係合凹部２３の数もこれに合わせて決めればよい。
【００２０】
次に、上記構成の外科用ステープルリムーバ１の作用について説明する。まず、片手で本体部２を持ち、図３（ａ）に示されるように、傷口を縫合した外科用ステープルのクラウン部２２の下側に針受け支持部材４の針支持部１７を入れ、クラウン部２２の両側の下部を針支持部１７で支持する。次に、押圧用スライダ３の指掛け部１４に人差し指の先端を掛けて押圧レバー１０を下方に折り曲げる。これにより、針押し部１１の押圧部１６が外科用ステープルのクラウン部２２の上部中央に係合する。さらに、指掛け部１４に力を加えて押圧レバー１０を下方に曲げると、外科用ステープルのクラウン部２２は両側下部が針支持部１７で支持された状態で、中央上部が押圧部１６によって上から下方に押し込まれるので、図３（ｂ）のようにＵ字状に折れ曲がって変形し、全体がＭ字状になって両側の脚部２４は皮膚から抜き出される。このようにして外科用ステープル２０を抜き出した後、図４に示すように上記押圧用スライダ３をバネ１２に抗して後方にスライドさせると、外科用ステープル２０は針押し部１１の係合部１５に係合し、取込開口部５から収納部６内に取り込まれ、さらに押圧用スライダ３の移動端まで送られる。上記押圧用スライダ３が移動端までスライドしたとき、図５のように押圧用スライダ３の係合部１５の後面は最も手前にある係合凹部２３ａに対応する位置にあるように設定されているから、引き込まれた外科用ステープルは最も手前の係合凹部２３ａに係合して支持される。その後、押圧用スライダ３から力を抜いてバネ１２のバネ力によって初期位置に復帰移動させる。押圧用スライダ３が原位置に戻っても、外科用ステープル２０は１対の針受け部１８に安定して支持され、また両針受け部１８の鋸歯状に形成された歯と歯の間に形成された係合凹部２３に係合しているので、戻り方向（前方）には移動できず、そのままの位置に保持される。
【００２１】
次の外科用ステープル２０も同様にして押圧用スライダ３の同じ操作によって抜針され、押圧用スライダ３の後方スライドによって取込開口部５から収納部６内に取り込まれる。そして、押圧用スライダ３が移動端に到達したときに、取り込まれた外科用ステープル２０は最も手前の係合凹部２３ａまで押し込まれるので、この係合凹部２３ａに保持されていた前の外科用ステープル２０は強制的に後方に押し出される。係合凹部２３の後方には緩やかな傾斜が形成されているので、押された外科用ステープル２０は円滑に後方に押し込まれる。隣り合う係合凹部２３ｂの間隔は約ステープル１〜１．５本分の幅と略同じ程度になるように設定されているから、押し込まれた外科用ステープル２０は次の係合凹部２３ｂに係合して支持される。その後、押圧用スライダ３から力を抜いてバネ１２のバネ力によって初期位置に復帰移動させると、上記２つの係合凹部２３に係合した外科用ステープル２０は、そのままの位置に保持される。以下、同様にして針受け支持部材４の針受け部１８の係合凹部２３には、抜針された外科用ステープルが順次に後方に並べられた状態で保持される。
【００２２】
このようにして、最後の外科用ステープル２０を最も手前の係合凹部２３に保持したとき、すべての抜針された外科用ステープル２０は針受け部１８の係合凹部２３に整然と並んだ状態で保持される。したがって、何本の外科用ステープルを抜いたかは、本体部２の横から目視によって数えることができる。
【００２３】
なお、収納部６の高さは、抜針された外科用ステープル２０の高さよりも少しだけ大きくなるようにするのが好ましい。具体的には、収納部６の上面は、針受け部１８に支持された外科用ステープル２０よりもその厚み分より少し高くし、また収納部６の下面は、針受け部１８に支持された外科用ステープル２０の下端よりも僅かに低い程度に形成するのが好ましい。これにより、外科用ステープルリムーバ１を少し傾けたり、動かしたりしても、内部に保持された外科用ステープルは係合凹部２３から外れにくく、針受け部１８に支持された状態で良好に保持される。
【００２４】
また、係合凹部２３は必ずしも鋸歯状に形成されているものに限定されない。例えば、連続する波形でもよい。
【００２５】
さらに、本体部２又は針受け支持部材４の針受け部１８に、１０本、２０本、３０本毎に目安となるように色変えしたり、目盛りを表示したりすることにより、迅速かつ確実に計算できるようにしてもよい。
【図面の簡単な説明】
【００２６】
【図１】本発明に係る外科用ステープルリムーバの一実施形態の斜視図
【図２】図１の縦断面図
【図３】（ａ）（ｂ）は外科用ステープルの取り外し態様説明図
【図４】抜針された外科用ステープルの引き込み態様説明図
【図５】図４の要部の拡大図
【符号の説明】
【００２７】
１    外科用ステープルリムーバ
３    押圧用スライダ
４    針受け支持部材
６    収納部
１８  針受け部
２０  ステープル
２３  係合凹部
【図１】
2008036265.tif 000003
【図２】
2008036265.tif 000004
【図３】
2008036265.tif 000005
【図４】
2008036265.tif 000006
【図５】
2008036265.tif 000007